(57)【要約】【課題】保温及び蓄熱性に優れ、着用することで発汗性を高めつつ、縦横に対して伸縮可能でかつ抗菌及び防臭効果も併せ持った多層構造の多層生地を提供する。【解決手段】多層生地１は、無透湿素材からなる３層の無透湿層２〜４と、縦横に伸縮するストレッチ素材とからなるストレッチ層５とを貼り合わせてなる。この無透湿層は、シート状のポリウレタン樹脂からなり、各層ごとに有機系の抗菌剤又は遠赤外線放射物質を含有している。【選択図】図１
0003129249.tif 000002
【実用新案登録請求の範囲】
【請求項１】
無透湿素材からなる無透湿層と、縦横に伸縮するストレッチ素材とからなるストレッチ層とを貼り合わせてなる多層生地において、
前記無透湿層は、複数の層からなり、
この複数の層は前記無透湿素材に銀又は有機系抗菌剤の少なくとも一方を含有してなる層と、前記無透湿素材に遠赤外線放射物質を含有してなる層と、を含むことを特徴とする多層生地。
【請求項２】
前記無透湿材料は、ポリウレタン樹脂であることを特徴とする請求項１記載の多層生地。
【請求項３】
前記有機系抗菌剤には、セントリスＥ−１を含むことを特徴とする請求項１又は２記載の多層生地。
【請求項４】
前記遠赤外線放射物質には、セラミックス又は二酸化チタンセラミックスを含むことを特徴とする請求項１〜３のいずれか１項に記載の多層生地。
【考案の詳細な説明】
【技術分野】
【０００１】
本考案は、保温及び蓄熱性に優れ、着用することで発汗性を高めるための被服に用いる多層生地に関する。
【背景技術】
【０００２】
従来よりボクシング選手の減量用として用いられ、最近では広くダイエット用として用いられる、いわゆるサウナスーツ（減量用衣）が知られている。このサウナスーツは、保温性や機密性を高めることにより発汗を促し、減量やダイエットを行うものである（特許文献１参照）。
【０００３】
また、最近では、サウナスーツと同様に保温性や機密性を高め、部分的に発汗を促すことによりいわゆる部分やせを実現するスパッツや、局部引き締め用装着具など、さまざまな態様で提案されている（特許文献２参照）。
【０００４】
上記のようなサウナスーツ、減量用衣又は局部引き締め用装着具では、いずれも生地に発汗を促すための工夫がなされている。例えば、特許文献１の減量用衣では、衣服を形成する生地に、通気性の乏しい素材を使用して発汗性を高めるとともに、部分的に吸汗速乾素材を使用して汗を適度に吸収し着用者の着心地に配慮している。
【０００５】
また、特許文献２の局部引き締め具に用いられる生地は、ニット地と合成樹脂シートをバインダーによって接着して積層体であり、さらに、一方の方向に対してのみ伸縮するように構成されたものである。また、このバインダーには、遠赤外線を放射する天然鉱石粉体が含まれている。このような構成により、局部の引き締め効果とサウナ効果を奏するようにしたものである。
【特許文献１】特開２００２−２９４５０７号公報
【特許文献２】特開２００３−１５９２７３号公報
【考案の開示】
【考案が解決しようとする課題】
【０００６】
ところで、減量用衣をはじめスパッツや局部引き締め用装着具に用いられている従来の生地は、双方向への伸縮性や保温及び蓄熱性を同時に満足させるようなものではなかった。
【０００７】
また、発汗を促すことにより、特許文献１にも示されるように装着者の快適性が問題となるが、従来の生地では、汗や汗による生地の湿気による雑菌の繁殖やこれにともなう悪臭を防止するような手段は提案されて来なかった。
【０００８】
本考案は、上記のような課題を解決するものであり、その目的は、保温及び蓄熱性に優れ、着用することで発汗性を高めつつ、縦横に対して伸縮可能でかつ抗菌及び防臭効果も併せ持った多層構造の多層生地を提供することにある。
【課題を解決するための手段】
【０００９】
上記の目的を達成するため、請求項１の考案は、無透湿素材からなる無透湿層と、縦横に伸縮するストレッチ素材とからなるストレッチ層とを貼り合わせてなる多層生地において、前記無透湿層は、複数の層からなり、この複数の層は前記無透湿素材に有機系抗菌剤を含有してなる層と、前記無透湿素材に遠赤外線放射物質を含有してなる層と、を含むことを特徴とする。
【００１０】
以上のような態様によれば、生地を無透湿層とストレッチ層とからなる多層構造で構成し、この無透湿層が無透湿素材に有機系抗菌剤を含有してなる層からなることで、当該ウェアの着用者の発汗から、生地の湿気による雑菌の繁殖やこれにともなう悪臭を防止することができる。また、同様に無透湿層の少なくとも１層を無透湿素材に遠赤外線放射物質を含有してなる層により構成することで、無透湿層の密閉性による保温効果に加え、着用者の発熱により、遠赤外線放射物質が遠赤外線を放出し、保温及び蓄熱性が一層高まる。これにより着用者の発汗をより一層高め、減量用のウェアとして痩身効果が高まる。
【００１１】
また、ストレッチ層を設けることにより、多層生地をサウナスーツ等の各種ウェアに用いた場合に、着用者の動きを妨げず、着心地の快適さだけでなく、動きのパフォーマンスを最大限サポートすることができるようになる。
【００１２】
請求項２の考案は、請求項１の考案において、前記無透湿材料は、ポリウレタン樹脂であることを特徴とする。
以上のような態様によれば、多層生地の無透湿層をポリウレタン樹脂で構成することで、着用者から生じる熱をウェア内部から逃がさず、密閉性が高く、保温効果が高い。
【００１３】
請求項３の考案は、請求項１又は２記載の考案において、前記有機系抗菌剤には、セントリスＥ−１を含むことを特徴とする。
以上のような態様によれば、多層生地をサウナスーツ等の各種ウェアに用いた場合に、内装となる側である無透湿層に、ポリウレタン樹脂に対して有機系抗菌剤として、セントリスＥ−１を含有させて構成することにより、当該ウェアの着用者の発汗から、生地の湿気による雑菌の繁殖やこれにともなう悪臭を防止することが可能となる。このように、多層の生地において、無透湿層に抗菌剤を含ませることにより、抗菌及び防臭の効果は高い。
【００１４】
請求項４の考案は、請求項１〜３のいずれか１項に記載の考案において、前記遠赤外線放射物質には、セラミックス又は二酸化チタンセラミックスを含むことを特徴とする。
以上のような態様によれば、遠赤外線放射物質としてセラミックス又は二酸化チタンセラミックスが含有されることにより、ポリウレタン樹脂の密閉性による保温効果に留まらず、着用者の発熱により、遠赤外線放射物質が遠赤外線を放出し、保温及び蓄熱性が一層高まる。これにより着用者の発汗をより一層高め、この生地をサウナスーツ等の各種ウェアに用いた場合に、発汗性を高め、痩身効果の期待できるウェアを提供することができるようになる。
【考案の効果】
【００１５】
以上のように、本考案によれば、保温及び蓄熱性に優れ、着用することで発汗性を高めつつ、縦横に対して伸縮可能でかつ抗菌及び防臭効果も併せ持った多層構造の多層生地を提供することができる。
【考案を実施するための最良の形態】
【００１６】
次に、本考案の多層生地を実施するための最良の実施形態（以下、本実施形態という。）について、図を参照して説明する。
【００１７】
（１）本実施形態
本実施形態の多層生地１は、無透湿素材からなる３層の無透湿層２〜４と、縦横に伸縮するストレッチ素材とからなるストレッチ層５とを貼り合わせてなる。この無透湿層は、シート状のポリウレタン樹脂からなり、各層ごとに有機系の抗菌剤又は遠赤外線放射物質を含有している。
【００１８】
本実施形態の多層生地１をサウナスーツ等の各種ウェアに用いた場合を想定すると、外装となる側にストレッチ層５を、内装となる側に無透湿層２〜４を形成したとする。このとき、もっとも内装となる無透湿層２には、ポリウレタン樹脂に対して有機系抗菌剤として、セントリスＥ−１を主成分とするバイオコートＥＰ（ニッセキ株式会社製）と、銀（Ａｇ）を含有させて構成している。このバイオコートＥＰに含まれるセントリスＥ−１は、大豆を中心とした穀類エキスと陽イオン系、非イオン系、両性イオン系の界面活性剤を組み合わせて構成されるものである。
【００１９】
ここで、最近では、抗菌又は防臭を目的として、銀（Ａｇ）が用いられることが多いが、本実施形態において、これに併せてバイオコートＥＰを用いるのは、次の理由による。すなわち、無透湿層を構成するポリウレタン樹脂に含まれるＣＮ−と銀は結合性が強く、そのためポリウレタン樹脂に銀を含有させた場合には抗菌、防臭効果が十分とはいえない。そこで、抗菌及び防臭効果をさらに高めるべく、本実施形態では有機系抗菌剤としてセントリスＥ−１を含むバイオコートＥＰを含有させたものである。
【００２０】
一方、無透湿層３は、ポリウレタン樹脂のみから構成され、無透湿層４には遠赤外線放射物質を含有してなる。この遠赤外線放射物質としては、例えば、セラミックス又は二酸化チタンセラミックス等が適用される。
【００２１】
また、ストレッチ層５は、縦方向及び横方向に伸縮自在なストレッチ素材からなる。このストレッチ素材としては、経方向及び緯方向に伸縮する２ウェイストレッチ編物又は２ウェイストレッチ織物等の生地から構成される。なお、本実施形態において、この２ウェイストレッチ編物は、ポリエステル繊維糸と弾性糸とを主成分構成糸によって構成しているが、本発明では、広くナイロン繊維糸と弾性糸とを主成分として構成することも含むものである。
【００２２】
以上のような構成からなる本実施形態の多層生地１によれば、この多層生地１をサウナスーツ等の各種ウェアに用いた場合に、内装となる側に無透湿層２に、ポリウレタン樹脂に対して通常用いられる銀（Ａｇ）に加えて有機系抗菌剤としてセントリスＥ−１を含有させて構成することにより、当該ウェアの着用者の発汗から、生地の湿気による雑菌の繁殖やこれにともなう悪臭を防止することが可能となる。このように、多層の生地において、着用者に最も近い層に抗菌剤を含ませることにより、抗菌及び防臭の効果は高い。
【００２３】
また、着用者に最も近い層をポリウレタン樹脂により構成することで、この多層生地１をサウナスーツ等の各種ウェアに用いた場合に、着用者から生じる熱をウェア内部から逃がさず、密閉性が高く、保温効果が高い。
【００２４】
また、無透湿層４を、ポリウレタン樹脂により形成し、これに遠赤外線放射物質であるセラミックスや二酸化チタンセラミックスが含有されることにより、ポリウレタン樹脂の密閉性による保温効果に留まらず、着用者の発熱により、遠赤外線放射物質が遠赤外線を放出し、保温及び蓄熱性が一層高まる。これにより着用者の発汗をより一層高め、減量用のウェアとして痩身効果が高まる。
【００２５】
さらに、この多層生地１の外装に当たるストレッチ層５を、縦方向及び横方向に伸縮自在なストレッチ素材により構成したことにより、この多層生地１をサウナスーツ等の各種ウェアに用いた場合に、着用者の動きを妨げず、着心地の快適さだけでなく、動きのパフォーマンスを最大限サポートすることができるようになる。
【００２６】
このように、本実施形態の多層生地１は、全４層で構成され、多層生地１をサウナスーツ等の各種ウェアに用いた場合のウェア内装側から、それぞれの抗菌、防臭効果を持たせた層、保温及び発熱効果を持たせた層、ストレッチを効かせ動きやすさ持たせた層として多層構造とし、さらに、それぞれの層に特有の役割を持たせることで、さまざまな機能を同時に発揮することが可能である。特に、内装側三層を無透湿層としてポリウレタン樹脂により構成した、いわゆるトリプルＰＵコーティングにより、本実施形態の多層生地１の用途して主目的とする保温性及び蓄熱性が従来の発明に比較して顕著なものである。
【００２７】
（２）他の実施形態
本発明は、上記の実施形態で示した態様に限定されるものではなく、例えば、以下のような態様も包含する。すなわち、本発明は、無透湿層をポリウレタン樹脂により複数の層（上記実施形態では３層）で構成したことにより、本発明の多層生地をサウナスーツ等の各種ウェアに用いた場合における、内装側の無透湿層の色彩表現が多様になる。
【００２８】
従来は、無透湿層が単層で構成し、これにストレッチ層を貼り合わせて構成していたため、この無透湿に例えば、青や赤等の色彩を施した場合、ストレッチ層が明度の高い色彩からなるような場合に、ストレッチ層側にまで、この無透湿層の色彩が透けてしまっていた。そのため、内装側の無透湿層の色彩は、例えば銀色や黒色等、目立たない色彩又はストレッチ層に影響を与えない色彩が選択されていた。
【００２９】
本発明では、無透湿層を複数層からなるので、例えば、最も内装側に色彩を施したとしても、ストレッチ層との間には少なくとも無透湿層を１層は含むので、ストレッチ層に無透湿層の色彩が透けるようなことがなく、無透湿層の色彩選択の幅が非常に広いものとなっている。
【００３０】
上記実施形態では、無透湿層を３層で構成するようにしたが、少なくとも有機系抗菌剤を含む層と、遠赤外線放射物質を含む層との複数の層からが設けられればよい。
【００３１】
また、上記実施形態では、多層生地の内装側の無透湿層３層において、銀及び有機系抗菌剤、遠赤外線放射物質を各層にそれぞれ含有させるように構成したが、これは最適な実施形態を示すものであって、実際には３層のうちどの層に有機系抗菌剤又は遠赤外線放射物質を含有させるかは、適宜変更可能である。例えば、内側２層に有機系抗菌剤を含有させるなどの態様も実施可能である。
【図面の簡単な説明】
【００３２】
【図１】本考案の実施形態における多層生地を示す模式図。
【符号の説明】
【００３３】
１…多層生地
２〜４…無透湿層
５…ストレッチ層
【図１】
0003129249.tif 000003
【手続補正書】
【提出日】平成18年11月27日(2006.11.27)
【手続補正１】
【補正対象書類名】実用新案登録請求の範囲
【補正対象項目名】請求項２
【補正方法】変更
【補正の内容】
【請求項２】
前記無透湿素材は、ポリウレタン樹脂であることを特徴とする請求項１記載の多層生地。
【手続補正２】
【補正対象書類名】明細書
【補正対象項目名】００１２
【補正方法】変更
【補正の内容】
【００１２】
請求項２の考案は、請求項１の考案において、前記無透湿素材は、ポリウレタン樹脂であることを特徴とする。
以上のような態様によれば、多層生地の無透湿層をポリウレタン樹脂で構成することで、着用者から生じる熱をウェア内部から逃がさず、密閉性が高く、保温効果が高い。